(57)【要約】【課題】ユーザ画像の考査の作業負荷を低減する考査処理装置及び印画物作製システムを提供する。【解決手段】考査処理装置は、ユーザ端末７からユーザ画像を受信する受信部１１と、前記ユーザ画像を用いた印画物の注文を受け付ける注文処理部１３と、前記ユーザ画像の考査を行い、前記ユーザ画像に著名人に類似している画像が含まれているか否か判定する考査処理部１４と、前記注文を行った注文者に関する注文者情報を記憶する注文者情報記憶部２７と、を備える。前記注文者情報は、前記注文者が著名人画像を利用可能であることを示す特殊事情を含む。【選択図】図１
2019053689.tif 000002
【特許請求の範囲】
【請求項１】
ユーザ端末からユーザ画像を受信する受信部と、
前記ユーザ画像を用いた印画物の注文を受け付ける注文処理部と、
前記ユーザ画像の考査を行い、前記ユーザ画像に著名人に類似している画像が含まれているか否か判定する考査処理部と、
前記注文を行った注文者に関する注文者情報を記憶する注文者情報記憶部と、
を備え、
前記注文者情報は、前記注文者が著名人画像を利用可能であることを示す特殊事情を含むことを特徴とする考査処理装置。
【請求項２】
複数の著名人の顔画像を記憶する著名人画像記憶部をさらに備え、
前記考査処理部は、前記ユーザ画像に対し顔検出処理を行い、検出した顔画像と、前記複数の著名人の顔画像との類否判断を行うことを特徴とする請求項１に記載の考査処理装置。
【請求項３】
ユーザによる編集操作を受け付け、前記ユーザ画像を用いたプリント用画像を生成する編集処理部をさらに備え、
前記注文処理部は、前記プリント用画像を印画する印画物の注文を受け付け、
前記考査処理部は、前記ユーザ画像に著名人画像が含まれていない場合、又は、含まれている著名人画像が前記特殊事情に示される著名人画像である場合、印画物作製可と判定することを特徴とする請求項１又は２に記載の考査処理装置。
【請求項４】
請求項３に記載の考査処理装置と、
前記考査処理部により印画物作製可と判定されたユーザ画像を含む前記プリント用画像を物品に印画して印画物を作製するプリンタと、
を備える印画物作製システム。
【発明の詳細な説明】
【技術分野】
【０００１】
本発明は、考査処理装置及び印画物作製システムに関する。
【背景技術】
【０００２】
従来、デジタルカメラやスマートフォン等で撮影した画像を、ネットワーク上にアップロードして保存することが行われている。また、アップロードした画像をプリントして、フォトブックやポスター等を作製するサービスが知られている（例えば特許文献１参照）。
【０００３】
フォトブックを作製するにあたり、サービス提供者は、顧客からアップロードされた画像がフォトブックに適した画像であるか否か等を判定する、いわゆる考査を行っている。例えば、考査では、画像が著作権や肖像権を侵害していないか、公序良俗に反していないか、不正転売の目的がないかなどを判断する。
【０００４】
従来、考査は人手による目視で行っていた。そのため、フォトブックの注文数の増加に伴い、人的コストの増加や、考査業務の遅延に伴うフォトブックの納品遅延等の問題が発生するおそれがあった。
【先行技術文献】
【特許文献】
【０００５】
【特許文献１】特開２００５−３３９２１４号公報
【発明の概要】
【発明が解決しようとする課題】
【０００６】
本発明は、ユーザ画像の考査の作業負荷を低減する考査処理装置及び印画物作製システムを提供することを課題とする。
【課題を解決するための手段】
【０００７】
本発明による考査処理装置は、ユーザ端末からユーザ画像を受信する受信部と、前記ユーザ画像を用いた印画物の注文を受け付ける注文処理部と、前記ユーザ画像の考査を行い、前記ユーザ画像に著名人に類似している画像が含まれているか否か判定する考査処理部と、前記注文を行った注文者に関する注文者情報を記憶する注文者情報記憶部と、を備え、前記注文者情報は、前記注文者が著名人画像を利用可能であることを示す特殊事情を含むものである。
【０００８】
本発明の一態様では、複数の著名人の顔画像を記憶する著名人画像記憶部をさらに備え、前記考査処理部は、前記ユーザ画像に対し顔検出処理を行い、検出した顔画像と、前記複数の著名人の顔画像との類否判断を行う。
【０００９】
本発明の一態様では、ユーザによる編集操作を受け付け、前記ユーザ画像を用いたプリント用画像を生成する編集処理部をさらに備え、前記注文処理部は、前記プリント用画像を印画する印画物の注文を受け付け、前記考査処理部は、前記ユーザ画像に著名人画像が含まれていない場合、又は、含まれている著名人画像が前記特殊事情に示される著名人画像である場合、印画物作製可と判定する。
【００１０】
本発明による印画物作製システムは、上記考査処理装置と、前記考査処理部により印画物作製可と判定されたユーザ画像を含む前記プリント用画像を物品に印画して印画物を作製するプリンタと、を備えるものである。
【発明の効果】
【００１１】
本発明によれば、ユーザ画像の考査の作業負荷を低減できる。
【図面の簡単な説明】
【００１２】
【図１】本発明の実施形態に係る印画物作製システムの概略図である。
【図２】同実施形態に係るサーバ装置の構成及び機能ブロックを示す図である。
【図３】記憶部に保存される注文情報の例を示す図である。
【図４】記憶部に保存される画像判定結果の例を示す図である。
【図５】記憶部に保存される注文者情報の例を示す図である。
【図６】同実施形態に係る考査処理を説明するフローチャートである。
【図７】別の実施形態に係る考査処理を説明するフローチャートである。
【発明を実施するための形態】
【００１３】
以下、本発明の実施の形態を図面に基づいて説明する。
【００１４】
図１に示すように、本発明の実施形態に係る印画物作製システムは、サーバ装置１及び考査者端末３を備える。サーバ装置１は、インターネット等の通信ネットワークを介して、考査者端末３及びユーザ端末７と通信可能となっている。サーバ装置１は、ユーザ端末７からアップロードされたユーザ画像を保存する。
【００１５】
ユーザ端末７は、ＰＣ、スマートフォン、タブレット端末等である。ユーザ画像は、例えば、ユーザがデジタルカメラやスマートフォン等で撮影した画像である。
【００１６】
ユーザは、自身がアップロードしたユーザ画像を、好みのフレームやスタンプ等の編集アイテムと合成する編集操作を行う。ユーザは、編集操作により作成した合成画像（プリント用画像）を印画する物品や個数を選択し、料金の支払い方法を選択し、プリント注文を完了する。
【００１７】
サーバ装置１は、ユーザ（ユーザ端末７）からプリント注文を受け付けると、考査処理を行い、プリント用画像に含まれるユーザ画像が、印画物の作製に使用してよい画像であるか否かを判定する。例えば、サーバ装置１は、ユーザ画像が、著作権や肖像権を侵害する画像か否かを判定する。特に、本実施形態では、ユーザ画像に著名人が写っているか否かを判定する。
【００１８】
サーバ装置１は、著名人画像が含まれていない印画物作製可能なユーザ画像であると判定した場合、プリント注文内容を含むプリントデータを工場５へ送信する。
【００１９】
プリント注文に、サーバ装置１が印画物作製可と判定しなかったユーザ画像、すなわち著名人画像（著名人に類似している画像）が含まれている場合、サーバ装置１は判定結果を考査者端末３へ通知する。考査者が、考査者端末３を操作して、サーバ装置１が印画物作製可と判定しなかったユーザ画像を目視確認し、考査を行う。
【００２０】
考査者により、著名人でなく、著名人に似ている人物であると判定されると、サーバ装置１は、注文内容を含むプリントデータを工場５へ送信する。
【００２１】
サーバ装置１は、プリント注文を行ったことのある注文者に、著名人の家族や友人、著名人が所属する芸能事務所の関係者、又は著名人本人であるなどの、著名人の画像を利用することに問題のない特殊事情がある場合に、特殊事情を登録した注文者情報を保存している。考査者は、ユーザ画像に著名人が写っている場合、プリント注文した注文者の注文者情報に登録されている特殊事情を確認し、この著名人の画像が使用可能であるかを判断する。特殊事情にこの著名人のことが記録されている場合、考査者は、印画物の作製に使用してよい画像であると判定する。この判定結果を受けて、サーバ装置１は、注文内容を含むプリントデータを工場５へ送信する。
【００２２】
ユーザ画像に著名人が写っており、プリント注文した注文者の注文者情報に、この著名人に関する特殊事情が登録されていない場合、考査者は、注文者に連絡し、著名人との関係を問い合わせる。注文者が著名人の家族などの著名人画像使用可能な特殊事情がある場合、考査者は、印画物の作製に使用してよい画像であると判定すると共に、この注文者の注文者情報に特殊事情を新たに登録する。
【００２３】
工場５に設置されたプリンタ（図示略）は、受信したプリントデータに基づいて印画処理を行い、指定された物品にプリント用画像を印画して印画物６を作製する。作製される印画物６は、写真、ポスター、カレンダー、フォトブック、バッジ、マグカップなどである。工場５で作製された印画物６は、ユーザへ配送される。
【００２４】
このように、本実施形態によれば、サーバ装置１が、ユーザがアップロードしたユーザ画像の考査（１次考査）を行い、考査者は、１次考査で著名人（著名人に類似した人物）が写っていると判定されたユーザ画像だけを確認すればよい。そのため、人手（目視）で行う考査対象の画像数を削減することができる。
【００２５】
また、ユーザ画像に著名人本人が写っている場合、考査者は、プリント注文を行った注文者の注文者情報に登録された特殊事情を確認する。特殊事情に、この著名人の画像が使用可能であることが記載されている場合、考査者は、注文者に確認の連絡を行うことなく、印画物作製可と判定する。このような特殊事情を参照することで、注文者への連絡・確認作業の手間を減らし、考査の作業負荷を低減できる。これにより、多数のプリント注文があった場合でも、考査のための人的コストの増加を抑えると共に、印画物６を早期にユーザに納品することができる。
【００２６】
次に、サーバ装置１の構成について説明する。なお、以下の実施形態では、印画物６としてフォトブックを作製する例について説明する。サーバ装置１は、ユーザ端末７からユーザ画像を受信し、画像編集画面を生成してユーザ端末７へ送信し、画像編集操作及びフォトブックのプリント注文を受け付け、ユーザ画像の考査処理を行い、編集操作により生成されたプリント用画像データを含むプリントデータを工場５へ送信するものである。
【００２７】
図２に示すように、サーバ装置１は、制御部１０、記憶部２０、及び通信部３０を備える。制御部１０は、サーバ装置１の全体を制御する中央処理装置（ＣＰＵ）である。制御部１０は、記憶部２０に記憶されているオペレーティングシステム（ＯＳ）やアプリケーションプログラムを読み出して実行することにより、各種機能を実現する。
【００２８】
記憶部２０は、制御部１０が各種の処理を実行するために必要なプログラムやデータ等を記憶するための記憶領域であり、ハードディスクや半導体メモリ等が用いられる。記憶部２０は、テンプレートＤＢ（データベース）２１、ユーザ画像ＤＢ２２、プリントデータＤＢ２３、注文情報ＤＢ２４、著名人画像ＤＢ２５、画像判定結果ＤＢ２６、及び注文者情報ＤＢ２７を有する。
【００２９】
テンプレートＤＢ２１は、テンプレートを記憶する記憶領域である。テンプレートは、ユーザ画像と合成される画像であり、ユーザ画像の配置位置を指定するボックスや、スタンプ、背景画像等の編集アイテムを含む。
【００３０】
著名人画像ＤＢ２５は、スポーツ選手、俳優、タレント等の著名人の顔画像、インターネット上での著名人画像検索結果を記憶する記憶領域である。
【００３１】
注文者情報ＤＢ２７は、過去にプリント注文を行った注文者の氏名や連絡先電話番号等を含む注文者情報を記憶する記憶領域である。注文者に、著名人画像が利用可能な著名人との特別な関係がある場合、注文者情報に特殊事情が登録される。特殊事情に記載できる内容は、著名人との関係性に限定されず、様々な事情を記載することができる。
【００３２】
制御部１０は、受信部１１、編集処理部１２、注文処理部１３、及び考査処理部１４を備える。受信部１１は、通信部３０を用いて、ユーザ端末７からユーザ画像のデータを受信し、ユーザ画像データをユーザ画像ＤＢ２２に格納する。制御部１０は、受信部１１が受信したユーザ画像の解像度やデータサイズから、印画に適した画像か否かを判定し、判定結果をユーザ端末７に通知してもよい。
【００３３】
編集処理部１２は、テンプレートやユーザ画像を選択する処理、選択されたユーザ画像をフレーム内に配置する処理、選択したスタンプを配置する処理等の画像編集が可能な編集画面を生成し、通信部３０を用いてユーザ端末７へ送信する。編集処理部１２は、ユーザがユーザ端末７を用いて編集画面で行った編集操作を受け付け、テンプレートやユーザ画像等が組み合わされた合成画像（プリント用画像）を生成する。生成されたプリント用画像のデータを含む、フォトブック作製用のプリントデータが、プリントデータＤＢ２３に格納される。
【００３４】
注文処理部１３は、ユーザ端末７から、プリント用画像を印画する物品の選択や、作製する印画物６の数などの注文を受け付ける。この例では、注文処理部１３は、プリント注文として、フォトブックのプリント冊数を受け付ける。必要に応じて、決済部（図示略）が決済処理を行い、プリント注文が完了する。
【００３５】
プリント注文が完了すると、編集処理部１２又は注文処理部１３は、プリント注文の注文番号と、プリント注文されたフォトブックに含まれる各画像の画像識別番号とを組み合わせた情報を、注文情報ＤＢ２４に格納する。図３は、注文情報ＤＢ２４のデータ構造の例を示す。また、プリント注文を行ったユーザの連絡先等を含む注文者情報が生成され、注文者情報ＤＢ２７に格納される。
【００３６】
考査処理部１４は、プリント注文されたフォトブックに含まれる各画像について考査を行い、フォトブックの作製に使用してよい画像であるか否かを判定する。特に、本実施形態では、考査処理部１４は、著名人の画像を用いたフォトブックの不正転売や頒布を防止するための考査を行う。
【００３７】
図６に示すフローチャートを用いて、考査処理部１４による考査処理について説明する。
【００３８】
考査処理部１４は、注文情報ＤＢ２４を参照し、考査対象のプリント注文の注文番号が紐付けられた画像のうち、未だ考査を行っていない画像を選択し、選択した画像の画像識別番号に対応する画像データをユーザ画像ＤＢ２２から取り出す（ステップＳ１）。
【００３９】
考査処理部１４は、考査対象の画像に、顔画像が含まれているか否かを検出し、人物（人物画像）を含むものであるか否かを判定する（ステップＳ２）。顔検出には、例えば、画像から目や口元などの明暗差の違いを一旦粗く分析して顔らしい部分を検出し、その後、顔らしい部分について詳細に分析する公知の技術を用いることができる。画像内の肌と推定される領域の割合（肌露出度）を検出して、人物画像を含むものであるか否かを判定してもよい。
【００４０】
人物画像を含まない場合（ステップＳ３＿Ｎｏ）、著名人画像が含まれていないため、フォトブックの作製に使用してよい画像（印画ＯＫ画像）であると判定する（ステップＳ６）。
【００４１】
人物画像を含む場合（ステップＳ３＿Ｙｅｓ）、考査処理部１４は、著名人画像ＤＢ２５内の著名人の顔画像の中から、考査対象の画像から抽出した顔画像と類似した画像を検索する（ステップＳ４）。例えば、公知の方法で顔画像の類似度を算出し、類似度が所定値以上となる著名人画像を検索する。
【００４２】
類似の著名人画像が無い場合（ステップＳ５＿Ｎｏ）、フォトブックの作製に使用してよい画像であると判定する（ステップＳ６）。
【００４３】
類似の著名人画像が検出された場合（ステップＳ５＿Ｙｅｓ）、肖像権等を侵害した画像の可能性があるため、考査者による二次考査が必要な画像であると判定する（ステップＳ８）。
【００４４】
考査対象のプリント注文に含まれる全てのユーザ画像について考査を行うまで、ステップＳ１〜Ｓ７を繰り返す（ステップＳ８）。考査処理部１４は、各画像についての判定結果を画像判定結果ＤＢ２６に登録する。図４は、画像判定結果ＤＢ２６のデータ構造の例を示す。
【００４５】
考査対象のプリント注文に含まれる全てのユーザ画像について、考査処理部１４が、フォトブックの作製に使用してよい画像であると判定した場合（ステップＳ９＿Ｙｅｓ）、考査処理が終了する。制御部１０は、通信部３０を用いて、考査を終えたプリント注文のプリントデータを工場５へ送信する。
【００４６】
考査対象のプリント注文に、考査者による二次考査が必要と判定された画像が含まれている場合（ステップＳ９＿Ｎｏ）、制御部１０は、通信部３０を用いて、二次考査が必要な画像があることを考査者端末３に通知する（ステップＳ１０）。また、制御部１０は、プリント注文を行った注文者の注文者情報に特殊事情が登録されている場合、その旨を考査者端末３に通知してもよい。
【００４７】
考査者は、考査者端末３を用いて、目視による二次考査を行う。例えば、画像判定結果ＤＢ２６から二次考査「要」となっている画像を特定し、この画像をディスプレイに表示して、問題がないか確認する。
【００４８】
画像に写っているのが著名人でなく、単に著名人に類似した一般人である場合（ステップＳ１１＿Ｎｏ）、フォトブックの作製に使用してよい画像であると判定する（ステップＳ１４）。
【００４９】
画像に著名人が写っている場合（ステップＳ１１＿Ｙｅｓ）、考査者は、注文者情報ＤＢ２７に格納されている注文者情報を確認する。図５は注文者情報の例を示す。注文者情報に、この著名人との特別な関係が登録されている場合（ステップＳ１２＿Ｙｅｓ、ステップＳ１３＿Ｙｅｓ）、フォトブックの作製に使用してよい画像であると判定する（ステップＳ１４）。この二次考査により問題が無いことが確認されると、サーバ装置１は、プリントデータを工場５へ送信する。
【００５０】
注文者情報に特殊事情が登録されていない場合（ステップＳ１２＿Ｎｏ）、又は特殊事情は登録されているが、画像に写っている著名人との関係を示すものでない場合（ステップＳ１２＿Ｙｅｓ、ステップＳ１３＿Ｎｏ）、考査者は、注文者情報に登録されている連絡先を確認し、画像の入手経路、フォトブックの用途、著名人との関係等をユーザに問い合わせる（ステップＳ１５）。
【００５１】
注文者に、著名人画像が利用可能な著名人との特別な関係がある場合（ステップＳ１６＿Ｙｅｓ）、フォトブックの作製に使用してよい画像であると判定し、注文者情報に特殊事情を登録する（ステップＳ１７）。著名人との特別な関係がなく、著名人画像を利用する権利がないと考えられる場合は（ステップＳ１６＿Ｎｏ）、プリント注文をキャンセルする（ステップＳ１８）。
【００５２】
サーバ装置１は、ユーザの編集操作で生成されたプリント用画像や注文内容を含むプリントデータを工場５へ送信する。工場５では、プリント用画像を用紙にプリントし、製本して、フォトブックを作製する。
【００５３】
このように、本実施形態によれば、考査処理装置としての機能を有するサーバ装置１が、ユーザがアップロードしたユーザ画像の考査（１次考査）を行う。考査者は、著名人（著名人に類似した人物）が写っており、二次考査が必要と判定された画像だけを確認すればよい。そのため、人手（目視）で行う考査対象の画像数を削減することができる。
【００５４】
また、ユーザ画像に著名人本人が写っている場合、考査者は、プリント注文を行った注文者の注文者情報に登録された特殊事情を確認する。特殊事情に、この著名人の画像が使用可能であることが記載されている場合、考査者は、注文者に確認の連絡を行うことなく、印画物作製可と判定する。このような特殊事情を参照することで、注文者への連絡・確認作業の手間を減らし、考査の作業負荷を低減できる。多数のプリント注文があった場合でも、考査のための人的コストの増加を抑えると共に、フォトブックを早期に作製して、ユーザに納品することができる。
【００５５】
上記実施形態では、サーバ装置１が著名人画像ＤＢ２５を備えていたが、著名人画像ＤＢ２５はサーバ装置１とは別のサーバ装置に設けられていてもよい。また、考査処理部１４は、ウェブ全体から類似の著名人画像を検索してもよい。
【００５６】
上記実施形態では、サーバ装置１が考査処理部１４を備えていたが、プリント注文に含まれるユーザ画像を通信部３０が他サーバ装置へ転送し、この他サーバ装置で１次考査（著名人画像との類否判断）を行い、フォトブックの作製に使用してよい画像であるか、又は考査者による二次考査が必要であるかを判定してもよい。サーバ装置１の通信部３０は、他サーバ装置から、判定結果を受信する。サーバ装置１は、全てのユーザ画像を他サーバ装置へ送信してもよいし、顔検出を行い、人物画像が含まれていると判定したユーザ画像のみを他サーバ装置へ送信してもよい。
【００５７】
上記実施形態では、考査者が注文者情報の特殊事情を確認する例について説明したが、考査処理部１４が、ユーザ画像に写っている著名人（著名人に類似する人物）と、特殊事情に記載されている著名人とが同一であるか否かを判定してもよい。このような処理を、図７に示すフローチャートを用いて説明する。ステップＳ１０１〜Ｓ１０８は図６のステップＳ１〜Ｓ８と同じであるため、説明を省略する。
【００５８】
考査対象のプリント注文に、考査者による二次考査が必要と判定された画像が含まれている場合（ステップＳ１０９＿Ｎｏ）、考査者端末３に通知する前に、考査処理部１４は、注文者情報ＤＢ２７に格納されている注文者情報を確認し、ユーザ画像に写っている著名人の名前が特殊事情に記録されているか否か判定する。この著名人の名前が特殊事情に記録されている場合（ステップＳ１１０＿Ｙｅｓ）、考査処理部１４は、フォトブックの作製に使用してよい画像であると判定する（ステップＳ１１１）。
【００５９】
著名人の名前が特殊事情に記録されていない場合（ステップＳ１１０＿Ｎｏ）、制御部１０は、通信部３０を用いて、二次考査が必要な画像があることを考査者端末３に通知する（ステップＳ１１２）。
【００６０】
考査者は、考査者端末３を用いて、目視による二次考査を行う。例えば、画像判定結果ＤＢ２６から二次考査「要」となっている画像を特定し、この画像をディスプレイに表示して、問題がないか確認する。画像に写っているのが著名人でなく、単に著名人に類似した一般人である場合（ステップＳ１１３＿Ｎｏ）、フォトブックの作製に使用してよい画像であると判定する（ステップＳ１１４）。
【００６１】
画像に著名人が写っている場合（ステップＳ１１３＿Ｙｅｓ）、考査者は、注文者情報の連絡先を確認し、画像の入手経路、フォトブックの用途、著名人との関係等をユーザに問い合わせる（ステップＳ１１５）。ステップＳ１１６〜Ｓ１１８は図６のステップＳ１６〜Ｓ１８と同じであるため、説明を省略する。
【００６２】
このように、サーバ装置１が注文者情報に登録された特殊事情の確認を行うことで、考査者が目視確認する画像をさらに減らし、考査の作業負荷をさらに低減できる。
【００６３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６４】
１  サーバ装置
３  考査者端末
５  工場
６  印画物
７  ユーザ端末
１０  制御部
１１  受信部
１２  編集処理部
１３  注文処理部
１４  考査処理部
２０  記憶部
３０  通信部
【図１】
2019053689.tif 000003
【図２】
2019053689.tif 000004
【図３】
2019053689.tif 000005
【図４】
2019053689.tif 000006
【図５】
2019053689.tif 000007
【図６】
2019053689.tif 000008
【図７】
2019053689.tif 000009